(57)【要約】【課題】１つのデジタルＡ／Ｖ圧縮器のみを使用して、競合する２つのＡ／Ｖ入力信号を記録する方法と、該方法を実施するための記録媒体から読み出し該記録媒体に書き込むための装置とを提供すること。【解決手段】前記課題は、第１のＡ／Ｖ入力信号を第１の記録ユニットに記録完了した後、第２の記録ユニットに記録された第２のＡ／Ｖ入力信号を読み出すステップと、第２の記録ユニットから読み出された第２のＡ／Ｖ入力信号を、第１の記録ユニットおよび／または該第２の記録ユニットに記録するステップとを有する方法によって解決される。【選択図】図２
2006202464.tif 000002
【特許請求の範囲】
【請求項１】
圧縮されたデジタルＡ／Ｖデータを記録するための第１の記録ユニットに、第１のＡ／Ｖ入力信号と、競合する第２のＡ／Ｖ入力信号とを記録する方法であって、
・第１のＡ／Ｖ入力信号を第１の記録ユニットに記録するステップ（２６）と、
・第２のＡ／Ｖ入力信号を第２の記録ユニットに記録するステップ（２７）とを有する形式の方法において、
・第１のＡ／Ｖ入力信号を第１の記録ユニットに記録完了した（２８）後、第２の記録ユニットに記録された第２のＡ／Ｖ入力信号を読み出すステップ（３０）と、
・第２の記録ユニットから読み出された（３０）第２のＡ／Ｖ入力信号を、第１の記録ユニットおよび／または第２の記録ユニットに記録するステップ（３２）とを有することを特徴とする方法。
【請求項２】
・第１のＡ／Ｖ入力信号がアナログのＡ／Ｖ入力信号である場合、該第１のＡ／Ｖ入力信号を第１のデジタルＡ／Ｖ入力信号に変換するステップ（２３）と、
・第１のデジタルＡ／Ｖ入力信号が未だ、第１の記録ユニットによって使用されるフォーマットで圧縮されたデジタルＡ／Ｖ入力信号でない場合、第１のデジタルＡ／Ｖ入力信号を圧縮またはトランスコーディングして、圧縮された第１のデジタルＡ／Ｖ入力信号を形成するステップ（２５）と、
・第２のＡ／Ｖ入力信号がアナログのＡ／Ｖ入力信号である場合、該第２のＡ／Ｖ入力信号を第２のデジタルＡ／Ｖ入力信号に変換するステップ（２４）と、
・第２のデジタルＡ／Ｖ信号が未だ、第１の記録ユニットによって使用されるフォーマットで圧縮されたデジタルＡ／Ｖ信号でない場合、第２のデジタルＡ／Ｖ信号を第１の記録ユニットに記録する（３２）前に、該第２のデジタルＡ／Ｖ入力信号を圧縮またはトランスコーディングして、第２のデジタルＡ／Ｖ入力信号を形成するステップ（３１）とを有する、請求項１記載の方法。
【請求項３】
記録媒体から読み出し、記録媒体に書き込むための方法であって、
・圧縮されたデジタルＡ／Ｖ信号を記録するための第１の記録ユニットと、
・デジタルＡ／Ｖ信号を記録するための第２の記録ユニットと、
・アナログまたはデジタルの第１のＡ／Ｖ入力信号を受信するための第１の入力部（３，６，７，９）と、
・アナログまたはデジタルの第２のＡ／Ｖ入力信号を受信するための第２の入力部（３，６，７，９）と、
・第１の入力部および／または第２の入力部がアナログのＡ／Ｖ入力信号を受信する場合、デジタルＡ／Ｖ入力信号をアナログのＡ／Ｖ入力信号から生成するためのビデオデコーダ（４）と、
・デジタルＡ／Ｖ信号を圧縮および／またはトランスコーディングするためのデジタルＡ／Ｖ圧縮器（２）と、
・第２の記録ユニットの入力部（１１）を選択的に、第２の入力部（６，７，９）に接続するか、または該ビデオデコーダ（４）の出力部に接続するか、または該デジタルＡ／Ｖ圧縮器（２）の出力部に接続するためのスイッチング手段と、
・該デジタルＡ／Ｖ圧縮器（２）の出力部を、第１の記録ユニットの入力部（１３）または第２の記録ユニットの入力部（１１）に接続するためのスイッチング手段とを有する形式のものにおいて、
該デジタルＡ／Ｖ圧縮器（２）の入力部を第２の記録ユニットの出力部（１１）に接続するためのスイッチング手段を有することを特徴とする装置。
【請求項４】
２つ以上のデジタルＡ／Ｖ入力信号が同時または準同時に、第２の記録ユニットに記録される、請求項１または２記載の方法または請求項３記載の装置。
【請求項５】
圧縮中に、付加的なデータが第１のデジタルＡ／Ｖ入力信号および／または第２のデジタルＡ／Ｖ入力信号に付加される、請求項１から４までのいずれか１項記載の方法または装置。
【請求項６】
第１の記録ユニットは、光学的な記録媒体用のドライブであり、
第２の記録ユニットは、光学的な記録媒体用のドライブまたはハードディスクドライブである、請求項１から５までのいずれか１項記載の方法または装置。
【請求項７】
第１のデジタルＡ／Ｖ入力信号および／または第２のデジタル入力信号は、搬送ストリームである、請求項１から６までのいずれか１項記載の方法または装置。
【請求項８】
第２のデジタルＡ／Ｖ入力信号は、第１のデジタルＡ／Ｖ入力信号と同じである、請求項１から７までのいずれか１項記載の方法または装置。
【発明の詳細な説明】
【技術分野】
【０００１】
本発明は、競合する２つのＡ／Ｖ入力信号を記録する方法と、該方法を実施するための記録媒体から読み出し該記録媒体に書き込むための装置とに関する。
【背景技術】
【０００２】
現在、ハードディスクドライブ（ＨＤＤ）と記録可能な光学的媒体用のドライブとを双方有する組み合わせの数多くの装置が市販されるようになった。記録可能な光学的媒体はここでは、たとえばデジタル多目的ディスク（ＤＶＤ）用の記録ドライブである。このような組み合わせの装置にはしばしば、２つ以上の入力部が装備されており、たとえばアナログチューナ、デジタルチューナ、ＵＳＢインタフェースまたはＩＥＥＥ１３９４インタフェース等が装備されている。このような入力部は通常、ＭＰＥＧエンコーダ等のデジタルＡ／Ｖ圧縮器に接続される。これによって、ＭＰＥＧエンコードを実施してＤＶＤ記録のために必要なナビゲーションパック（NAV Packs）を付加するか、またはＮＡＶパックを含むプログラムストリーム（ＰＳ）に、受信された搬送ストリーム（ＴＳ）をトランスコーディングする。このことは、２つの異なる記録装置が設けられているにもかかわらず、一度に記録できるのは、これらのソースのうち１つのソースの信号のみであることを意味する。この制限を打開するための１つの手段に、付加的なＭＰＥＧエンコーダＩＣを設ける手段がある。しかしこの解決手段は、個人用の装置には非常に高価であるため、実用的ではない。より安価な解決手段が望まれる。
【０００３】
ＵＳ２００２／０９２０２１に、拡張されたフィーチャを有するデジタルビデオレコーダが開示されている。このビデオレコーダは、多重のＡ／Ｖ入力信号を同時に、たとえばハードディスクまたは光学的ディスクに記録できるように構成されている。記録するために必要である場合には、複数の入力ストリームを同時に処理できるデコーダ／復号器を使用して、受信された入力Ａ／Ｖ信号をトランスコーディングする。
【０００４】
ＥＰ１２１３９２０に、多重のデジタルＡ／Ｖ入力信号を同時に記録するための装置が開示されている。記録するためには、受信された入力Ａ／Ｖ信号をエンコードする。この装置では、少なくとも２つのＡ／Ｖ入力信号を同時にエンコードできるように構成されたＭＰＥＧエンコーダが使用される。
【０００５】
ＵＳ２００３／２２８１２６に、少なくとも２つの入力Ａ／Ｖ信号を受信および記録できるように構成された多重のプログラマブルビデオレコーダが開示されている。これらの信号は、必要である場合にはエンコード／トランスコーディングされ、ハードディスクにインタリーブ方式で記憶される。受信される各Ａ／Ｖ入力信号に対して、専用のエンコーダが設けられている。
【０００６】
以下ではＡ／Ｖ（入力）信号は、オーディオ情報および／またはビデオ情報を含むアナログ信号またはデジタル信号を指す。デジタル信号の場合には、信号は圧縮されている信号か、または圧縮されていない信号である。
【特許文献１】ＵＳ２００２／０９２０２１
【特許文献２】ＥＰ１２１３９２０
【特許文献３】ＵＳ２００３／２２８１２６
【発明の開示】
【発明が解決しようとする課題】
【０００７】
本発明の課題は、１つのデジタルＡ／Ｖ圧縮器のみを使用して、競合する２つのＡ／Ｖ入力信号を記録する方法と、該方法を実施するための記録媒体から読み出し該記録媒体に書き込むための装置とを提供することである。
【課題を解決するための手段】
【０００８】
本発明では前記課題は、圧縮されたデジタルＡ／Ｖデータを記録するための第１の記録ユニットで、第１のＡ／Ｖ入力信号と、競合する第２の入力信号とを受信する次のような方法によって解決される。すなわち、
・第１のＡ／Ｖ入力信号を第１の記録ユニットで記録するステップと、
・第２のＡ／Ｖ入力信号を第２の記録ユニットで記録するステップと、
・第１のＡ／Ｖ入力信号を第１の記録ユニットに記録完了した後、第２の記録ユニットに記録された第２のＡ／Ｖ入力信号を読み出すステップと、
・第２の記録ユニットから読み出された第２のＡ／Ｖ入力信号を、第１の記録ユニットおよび／または該第２の記録ユニットに記録するステップ
とを有することを特徴とする方法によって解決される。
【発明を実施するための最良の形態】
【０００９】
有利には本方法は、以下のステップも含む：
・第１のＡ／Ｖ入力信号がアナログのＡ／Ｖ入力信号である場合には、該第１のＡ／Ｖ入力信号を第１のデジタルＡ／Ｖ入力信号に変換するステップと、
・該第１のデジタルＡ／Ｖ入力信号が、第１の記録ユニットによって使用されるフォーマットに未だ圧縮されていないデジタルＡ／Ｖ入力信号である場合には、該第１のデジタルＡ／Ｖ入力信号を圧縮またはトランスコーディングして、圧縮された第１のデジタルＡ／Ｖ入力信号を形成するステップと、
・第２のＡ／Ｖ入力信号がアナログのＡ／Ｖ入力信号である場合には、該第２のＡ／Ｖ入力信号を第２のデジタルＡ／Ｖ入力信号に変換するステップと、
・該第２のデジタルＡ／Ｖ信号が、第１の記録ユニットによって使用されるフォーマットに未だ圧縮されていないデジタルＡ／Ｖ入力信号である場合には、該第２のデジタルＡ／Ｖ入力信号を第１の記録ユニットに記録する前に、該第２のデジタルＡ／Ｖ信号を圧縮またはトランスコーディングして、圧縮された第２のデジタルＡ／Ｖ信号を形成するステップ。
【００１０】
有利には、第１の記録ユニットは（再）書き込み可能なＤＶＤ等の光学的な記録媒体のためのドライブであり、第２の記録ユニットは、ハードディスクドライブ、ビデオカセットレコーダ、光学的な記録媒体のための別のドライブ、または他のすべてのデジタルメディア装置である。アナログのＡ／Ｖ入力信号が第１の入力部で、たとえばアナログチューナから受信されるか、または他のすべてのアナログのビデオソースのうち任意のビデオソースから受信された場合、この信号はまず、第１のデジタルＡ／Ｖ入力信号に変換される。デジタルＡ／Ｖ入力信号が第１の入力部で受信される場合にはもちろん、前記変換は必要ない。また、第２の入力部で受信されたアナログのＡ／Ｖ入力信号も、第２のデジタルＡ／Ｖ入力信号に変換される。すでに述べたように、第２の入力部でデジタルＡ／Ｖ入力信号が受信される場合には、前記変換は必要ない。変換のために有利には、各入力部ごとに独立したビデオデコーダが設けられる。択一的に、２つのアナログのＡ／Ｖ入力信号を同時に変換できるように構成されたビデオデコーダを１つだけ使用することができる。１つのアナログのＡ／Ｖ入力信号のみを変換できるビデオデコーダが１つだけ設けられている場合、多くても入力部のうち１つだけがアナログのＡ／Ｖ入力信号を受信することを確実にしなければならない。その後、第１のデジタルＡ／Ｖ入力信号は、たとえばＭＰＥＧエンコーダを使用して圧縮され、第１の記録ユニットによって使用される標準方式にしたがって、圧縮されたデジタルＡ／Ｖ入力信号に変換される。第１の入力部で受信されたＡ／Ｖ入力信号が、すでに圧縮されたデジタルＡ／Ｖ入力信号である場合、この圧縮されたデジタルＡ／Ｖ入力信号をトランスコーディングしなければならない場合がある。というのも、この圧縮されたデジタルＡ／Ｖ入力信号は、第１の記録ユニットによって使用される標準方式にしたがって圧縮されていない可能性があるからだ。たとえば、デジタルチューナからのＭＰＥＧ搬送ストリームが第１の入力部で受信される場合、ＭＰＥＧプログラムストリームにトランスコーディングしなければならない可能性がある。しかし第１の入力部で受信されたこのＡ／Ｖ入力信号は、第１の記録ユニットによって使用されるフォーマットですでに圧縮されているので、処理する必要はない。最後に、圧縮またはトランスコーディングされたデジタルＡ／Ｖ入力信号は、第１の記録ユニットで記録される。第２のＡ／Ｖ圧縮器を設けない限り、第２のデジタルＡ／Ｖ入力信号も同時に圧縮またはトランスコーディングすることはできないので、第２のデジタルＡ／Ｖ入力信号は第２の記録ユニットに、別の処理なしで直接記録される。このようにして、２つの記録ユニットに両入力信号を同時に記録することができる。両入力信号が第１の記録ユニットに記録されるようになっている場合、第２のデジタルＡ／Ｖ入力信号は第２の記録ユニットから回復され、第１の記録ユニットに記録するために圧縮またはトランスコーディングされる。しかし第２のデジタルＡ／Ｖ入力信号が、第１の記録ユニットによって使用されるフォーマットですでに圧縮されている場合、処理する必要はない。圧縮またはトランスコーディングされた信号を、第２の記録ユニットに再記録することもできる。こうすることにより、たとえばこの信号を第１の記録ユニットに記録する前にユーザによってさらに操作するか、またはこの信号を別の装置に、時間的に後で供給することができる。このようにして第２の記録ユニットは、第２のＡ／Ｖ入力信号のためのバッファとして使用される。第２の記録ユニットが同時または準同時に読み出しおよび書き込みできる場合、バッファリングされた第２のデジタルＡ／Ｖ入力信号の処理、たとえばトランスコーディングは、圧縮されたデジタルＡ／Ｖ入力信号が第１の記録ユニットに記録完了するとただちに開始する。このことは、ハードディスクドライブに当てはまる。そうでない場合には、第２の記録ユニットへの記録も完了してから、バッファリングされたデジタルＡ／Ｖ入力信号の後続の処理を行わなければならない。
【００１１】
本発明の別の側面によれば上記課題は、記録媒体から読み出し該記録媒体に書き込むための次のような装置によっても解決される。すなわち、
・圧縮されたデジタルＡ／Ｖ信号を記録するための第１の記録ユニットと、
・デジタルＡ／Ｖ入力信号を記録するための第２の記録ユニットと、
・アナログまたはデジタルの第１のＡ／Ｖ入力信号を受信するための第１の入力部と、
・アナログまたはデジタルの第２のＡ／Ｖ入力信号を受信するための第２の入力部と、
・第１の入力部および／または第２の入力部がアナログのＡ／Ｖ入力信号を受信する場合、デジタルＡ／Ｖ入力信号を該アナログのＡ／Ｖ入力信号から生成するためのビデオデコーダと、
・第２の記録ユニットの入力部を選択的に、第２の入力部、またはビデオデコーダの出力部、またはデジタルＡ／Ｖ圧縮器の出力部に接続するためのスイッチング手段と、
・デジタルＡ／Ｖ圧縮器の入力部を第２の記録ユニットの出力部に接続するためのスイッチング手段と、
・デジタルＡ／Ｖ圧縮器の出力部を、第１の記録ユニットの入力部または第２の記録ユニットの入力部に接続するためのスイッチング手段
とを有することを特徴とする装置によっても解決される。
【００１２】
このような装置は、本発明による方法を実施することができる。Ａ／Ｖ入力信号を第２の記録ユニットに記録することだけが要求された場合、第２の記録ユニットの入力部はデジタルＡ／Ｖ圧縮器に接続される。しかし同時記録の場合には、デジタルＡ／Ｖ圧縮器を使用してデジタルＡ／Ｖ入力信号は圧縮またはトランスコーディングされ、第１の記録ユニットに記録され、第２の記録ユニットの入力部は第２の入力部に接続されて、該第２の入力部で受信されたデジタルＡ／Ｖ入力信号は直接記録されるか、または第２の記録ユニットの入力部はビデオデコーダの出力部に接続されて、第２の入力部で受信されたアナログのＡ／Ｖ入力信号から該ビデオデコーダによって生成されたデジタルＡ／Ｖ入力信号が記録される。このようにして、第２の記録ユニットによってバッファリングされた第２のデジタルＡ／Ｖ入力信号は後で、該第２の記録ユニットから回復され、要求された場合には圧縮またはトランスコーディングされ、第１の記録ユニットまたは第２の記録ユニットに記録される。
【００１３】
ビデオデコーダに関しては、上記ですでに述べたように、有利には各入力部ごとに独立したビデオデコーダが設けられる。択一的に、２つのアナログのＡ／Ｖ入力信号を同時に変換できるビデオデコーダを１つだけ使用することもできる。１つのアナログのＡ／Ｖ入力信号だけを変換できるビデオデコーダが１つだけ設けられている場合には、入力部のうち１つより多くの入力部がアナログのＡ／Ｖ入力信号を受信しないことを確実にしなければならない。
【００１４】
有利には２つ以上のデジタルＡ／Ｖ入力信号が、第２の記録ユニットに同時または準同時に記録される。たとえば第２の記録ユニットがハードディスクである場合、該ハードディスクドライブは複数の入力信号を同時に記録できる。また、装置に別の記録ユニットが含まれている場合にも、付加的なデジタルＡ／Ｖ入力信号を同時に記録することができる。この場合、第２の記録ユニットは２つ以上のサブユニットを含むと見なされる。この２つ以上のサブユニットはたとえば、２つ以上のハードディスクドライブ、ハードディスクドライブと光学的記録媒体のための付加的なドライブ、等である。
【００１５】
有利には、圧縮またはトランスコーディング中に付加的なデータが、第１のデジタルＡ／Ｖ入力信号および／または第２のデジタルＡ／Ｖ入力信号に付加される。たとえば、デジタルＡ／Ｖ入力信号のうち１つがＭＰＥＧ搬送ストリームである場合、圧縮またはトランスコーディング中にナビゲーションパックをこのデジタルＡ／Ｖ入力信号に付加しなければならない。またアナログのＡ／Ｖ入力信号を記録する際にも、このＡ／Ｖ入力信号がデジタルＡ／Ｖ入力信号に変換された後、ナビゲーションパックをＭＰＥＧエンコードに付加的に設けなければならない。
【００１６】
有利には第２のデジタルＡ／Ｖ入力信号は、第１のデジタルＡ／Ｖ入力信号と同じである。第１のデジタルＡ／Ｖ入力信号が１つより多くのプログラムを有する搬送ストリームである場合、該搬送ストリームに含まれるすべてのプログラムを第１の記録ユニットに逐次記録することができる。
【００１７】
上記で本発明を、すべての種類のＡ／Ｖ入力信号に関して、すなわちアナログまたはデジタルのＡ／Ｖ入力信号に関して、また圧縮されたＡ／Ｖ入力信号または未圧縮のＡ／Ｖ入力信号に関して説明した。しかし、本発明が有利に適用されるのは、第２の入力部で受信された信号が圧縮されたデジタルＡ／Ｖ入力信号であり、かつ第１の入力部で受信された信号が、圧縮またはトランスコーディングを必要とするアナログのＡ／Ｖ入力信号またはデジタルＡ／Ｖ入力信号である場合である。このことは、未圧縮のデジタルＡ／Ｖ入力信号を第２の記録ユニットに記憶するためには大量の記憶空間が必要であるという事実に拠る。したがって現在の記憶媒体では、数分の同時記録が可能である。もちろん、使用可能な記憶空間を増大することにより、アナログまたは未圧縮のデジタルＡ／Ｖ入力信号が第２の入力部で受信される場合にも、本発明を適用することもできる。
【実施例】
【００１８】
本発明をより良好に理解できるようにするため、明細書の以下の部分で図面と関連して詳述する。もちろん、本発明はこの実施例に制限されず、本発明の範囲を逸脱せずに、ここで特定された構成を有利に組み合わせおよび／または変更することもできる。
【００１９】
図１は、本発明による方法を実施するための装置１を概略的に示している。この装置はデジタルＡ／Ｖ圧縮器２を有し、このデジタルＡ／Ｖ圧縮器２はたとえば、ＭＰＥＧエンコーダを有するマイクロコンピュータである。これは、Ａ／Ｖ入力信号を圧縮またはトランスコーディングするために使用される。アナログのＡ／Ｖ入力信号は、Ａ／Ｖボードから入力部３を介して受信される。この入力部３を介して受信されたビデオ信号は、たとえばＣＶＢＳ信号、ＲＧＢ信号またはＹ／Ｃ信号である。この信号はビデオデコーダ４によって、デジタルＡ／Ｖ入力信号たとえばＩＴＵ６５６信号に変換され、デジタルＡ／Ｖ圧縮器２へ伝送される。Ａ／Ｖボードに出力される信号は、デジタルＡ／Ｖ圧縮器２によって直接生成され、たとえばＣＶＢＳ．Ｙ／Ｃ信号、ＳＰＤＩＦ信号またはＲＧＢ／ＹｐｂＰｒ信号が生成される。また、オーディオ信号（左側および右側のチャネル）もＡ／Ｖボードから入力部３を介して受信され、オーディオエンコーダ／デコーダ５によってオーディオＰＣＭ信号に変換される。その後、このオーディオＰＣＭ信号はデジタルＡ／Ｖ圧縮器２へ送信される。付加的に、デジタルＡ／Ｖ圧縮器２からのオーディオＰＣＭ信号はオーディオエンコーダ／デコーダ５によってデコードされ、Ａ／Ｖボードへ伝送される（左側および右側のチャネル）。本装置はさらに、デジタルＡ／Ｖ入力信号のための別の入力部、すなわち搬送ストリームをデジタルチューナから受信するための入力部６と、ＵＳＢハブ８を介してＵＳＢボードからデータを受信するための入力部７と、ファイヤワイヤコントローラ１０を介してＩＥＥＥ１３９４ボードからデータを受信するための入力部９とを有する。前記搬送ストリームはたとえば、Ｉ２Ｓ搬送ストリームまたはパラレルストリームである。また、フラッシュカードまたは別のメディアコネクタを設けることもできる。本装置１は２つのインタフェース１３，１１を有し、これらは第１の記録ユニットおよび第２の記録ユニットを接続するために使用される。図１では、第１のインタフェース１３を介して接続される第１の記録ユニットはＤＶＤ＋ＲＷドライブであり、第２のインタフェース１１およびＥＭＩバス１２を介して接続される第２の記録ユニットはハードディスクドライブである。信号は、プログラムストリームとしてＤＶＤ＋ＲＷドライブから受信され該ＤＶＤ＋ＲＷドライブへ送信されるのに対し、プログラムストリームＰＳまたは搬送ストリームＴＳとしてハードディスクドライブから受信され該ハードディスクドライブへ送信される。該装置は、給電部１４によって給電される。
【００２０】
競合する２つのＡ／Ｖ入力信号を記録するための本発明による方法が、図２に示されている。この図では、すべてのケースでは実施されないステップは点線のボックスによって示されている。同時記録が開始されると２０、第１のＡ／Ｖ入力信号が第１の入力部で受信され２１、第２のＡ／Ｖ入力信号が第２の入力部で受信される２２。必要であれば、すなわちこれら２つのＡ／Ｖ入力信号のうち１つまたは双方がアナログのＡ／Ｖ入力信号である場合、これらのＡ／Ｖ入力信号はデジタルＡ／Ｖ入力信号に変換される２３，２４。１つのデジタルＡ／Ｖ圧縮器だけが使用可能であるため、第１のデジタルＡ／Ｖ入力信号のみが圧縮またはトランスコーディングされ２５、圧縮された第１のデジタルＡ／Ｖ入力信号が得られる。この信号は第１の記録ユニットに記録され２６、第２のデジタルＡ／Ｖ入力信号は別の処理なしで、第２の記録ユニットに記録される２７。同時記録を行うためのこの方法は、第１の記録ユニットへの記録および第２の記録ユニットへの記録が完了した場合２８，２９に終了される。両Ａ／Ｖ入力信号が第１の記録ユニットに記録されるようになっている場合、圧縮された第１のデジタルＡ／Ｖ入力信号の記録が完了した２８後に、第２のデジタルＡ／Ｖ入力信号が第２の記録ユニットから読み出され３０、圧縮またはトランスコーディングされ３１、第１の記録ユニットに記録される３２。圧縮またはトランスコーディングを行うステップ３１は、第２のデジタルＡ／Ｖ入力信号が、第１の記録ユニットによって使用されるフォーマットで未だ圧縮されていない場合にのみ実施される。また、圧縮された第２のデジタルＡ／Ｖ入力信号を第２の記録ユニットに記録することもできる。最後に本方法は、圧縮された第２のデジタルＡ／Ｖ入力信号が第１の記録ユニットおよび／または第２の記録ユニットに記録完了された場合３３、終了する。
【図面の簡単な説明】
【００２１】
【図１】本発明による方法を実施するための装置を示す概略図である。
【図２】２つのＡ／Ｖ入力信号を同時に記録するための本発明による方法を示す図である。
【符号の説明】
【００２２】
１      本発明による方法を実施するための装置
２      デジタルＡ／Ｖ圧縮器
３      入力部
４      ビデオデコーダ
５      オーディオエンコーダ／デコーダ
６      搬送ストリームを受信するための入力部
７      ＵＳＢボードからデータを受信するための入力部
８      ＵＳＢハブ
９      ＩＥＥＥ１３９４ボードからデータを受信するための入力部
１０    ファイヤワイヤコントローラ
１１    インタフェース
１２    ＥＭＩバス
１３    インタフェース
１４    給電部
【図１】
2006202464.tif 000003
【図２】
2006202464.tif 000004
【外国語明細書】
2006202464.tif 000005
2006202464.tif 000006
2006202464.tif 000007
2006202464.tif 000008
2006202464.tif 000009
2006202464.tif 000010
2006202464.tif 000011
2006202464.tif 000012
2006202464.tif 000013
2006202464.tif 000014
2006202464.tif 000015
2006202464.tif 000016
2006202464.tif 000017
2006202464.tif 000018
2006202464.tif 000019
2006202464.tif 000020